(57)【要約】  モデムが電話呼の前に確立されたデータセッションを維持している間のコンピュータシステム又は他の電子装置を使用したハンズフリー電話呼を記載する。
2007513575.tif 000002
【特許請求の範囲】
【請求項１】
通信媒体を経由して電子システムからデータを送信することであって、該データ送信はデータセッションに関連する、送信すること、
前記通信媒体を経由して送信された着信電話呼の指示を受信すること、及び
前記データ送信を中断している間に前記データセッションを維持するとともに、前記電子システムのマイクロホン及びスピーカを使用して前記着信電話呼を処理すること
を含む方法。
【請求項２】
前記電子システムのマイクロホン及びスピーカを使用して前記着信電話呼を処理することは、音声コマンドに応答して行われる、請求項１記載の方法。
【請求項３】
前記データ送信を中断しながら前記データセッションを維持するとともに、前記着信電話呼を処理することは、
Ｖ．９２プロトコルのモデムオンホールド機能を使用して前記データセッションを維持すること、
前記電子システムの前記スピーカを使用して前記着信電話呼から音声信号を再生すること、
前記電子システムの前記マイクロホンを介して音声入力を受信すること、及び
前記音声入力を表すデータを前記通信媒体を経由して送信すること、
を含む、請求項１記載の方法。
【請求項４】
前記着信電話呼が終了したときに前記通信媒体を経由してデータの送信を再開することをさらに含む、請求項１記載の方法。
【請求項５】
前記着信電話呼の終了は音声コマンドに応答して行われる、請求項４記載の方法。
【請求項６】
前記着信電話呼の発信元の指示を受信すること、及び
前記電子装置を介して、前記着信電話呼の前記発信元を示す出力を提供すること、
をさらに含む、請求項１記載の方法。
【請求項７】
前記発信元の前記指示は発呼者ＩＤ信号を含む、請求項６記載の方法。
【請求項８】
データセッション中に通信媒体を介してデータを送受信するモデムであって、前記データセッション中、該モデムは遠隔装置とデータをやりとりし、着信電話呼の指示を検出し、該着信電話呼の該指示に応答してデータの送受信を中断している間に前記データセッションを維持する、モデムと、
前記通信媒体に結合された電話呼処理回路であって、前記着信電話呼からの音声信号を、該電話呼処理回路に結合されたスピーカで再生させ、該電話呼処理回路に結合されたマイクロホンを介して音声信号を受け取り、前記通信媒体を経由して前記音声信号を送信する、電話呼処理回路と、
を備える装置。
【請求項９】
前記着信電話呼は音声コマンドに応答して受け入れられる、請求項８記載の装置。
【請求項１０】
前記モデムは、前記着信電話呼の終了に応答してデータの送受信を再開する、請求項８記載の装置。
【請求項１１】
前記着信電話呼は音声コマンドに応答して終了する、請求項１０記載の装置。
【請求項１２】
実行されると、１つ又は複数のプロセッサに、
通信媒体を経由して電子システムからデータを送信することであって、該データ送信はデータセッションに関連する、送信すること、
前記通信媒体を経由して送信された着信電話呼の指示を受信すること、及び
前記データ送信を中断している間に前記データセッションを維持するとともに、前記電子システムのマイクロホン及びスピーカを使用して前記着信電話呼を処理すること、
を実行させる命令を記憶したコンピュータ可読媒体を備える製品。
【請求項１３】
前記電子システムのマイクロホン及びスピーカを使用して前記着信電話呼を処理することは、音声コマンドに応答して行われる、請求項１２記載の製品。
【請求項１４】
前記１つ又は複数のプロセッサに、前記データ送信を中断している間に前記データセッションを維持させるとともに、前記着信電話呼を処理させる命令は、実行されると、前記１つ又は複数のプロセッサに、
Ｖ．９２プロトコルのモデムオンホールド機能を使用して前記データセッションを維持すること、
前記電子システムの前記スピーカを使用して前記着信電話呼から音声信号を再生すること、
前記電子システムの前記マイクロホンを介して音声入力を受信すること、及び
前記音声入力を表すデータを前記通信媒体を経由して送信すること、
を実行させる命令を含む、請求項１２記載の製品。
【請求項１５】
実行されると、前記１つ又は複数のプロセッサに、前記着信電話呼が終了したときに前記通信媒体を経由してデータの送信を再開させる命令をさらに含む、請求項１２記載の製品。
【請求項１６】
前記着信電話呼は音声コマンドに応答して終了する、請求項１５記載の製品。
【請求項１７】
撚り対線電話回線と、
該撚り対線電話回線に結合され、データセッション中に通信媒体を介してデータを送受信するモデムであって、前記データセッション中に、該モデムは遠隔装置とデータをやりとりし、着信電話呼の指示を検出し、該着信電話呼の該指示に応答してデータの送受信を中断している間に前記データセッションを維持する、モデムと、
前記通信媒体に結合された電話呼処理回路であって、前記着信電話呼からの音声信号を、該電話呼処理回路に結合されたスピーカで再生させ、該電話呼処理回路に結合されたマイクロホンを介して音声信号を受け取り、前記通信媒体を経由して前記音声信号を送信する電話呼処理回路と、
を備えるシステム。
【請求項１８】
前記着信電話呼は音声コマンドに応答して受け入れられる、請求項１７記載のシステム。
【請求項１９】
前記モデムは、前記着信電話呼の終了に応答してデータの送受信を再開する、請求項１７記載のシステム。
【請求項２０】
前記着信電話呼は音声コマンドに応答して終了する、請求項１９記載のシステム。
【請求項２１】
通信媒体を経由して電子システムからデータを送信することであって、該データ送信はデータセッションに関連する、送信すること、
前記データ送信を中断している間に前記データセッションを維持するとともに、電話呼を開始すること、及び
前記電子システムのマイクロホン及びスピーカを使用して前記電話呼を処理すること、
を含む方法。
【請求項２２】
前記電話呼は音声コマンドに応答して開始される、請求項２１記載の方法。
【請求項２３】
前記電話呼の終了に応答してデータの送信を再開することをさらに含む、請求項２１記載の方法。
【請求項２４】
音声コマンドに応答して前記電話呼を終了することをさらに含む、請求項２３記載の方法。
【請求項２５】
実行されると、１つ又は複数のプロセッサに、
通信媒体を経由して電子システムからデータを送信することであって、該データ送信はデータセッションに関連する、送信すること、
前記データ送信を中断している間に前記データセッションを維持するとともに、電話呼を開始すること、及び
前記電子システムのマイクロホン及びスピーカを使用して前記電話呼を処理すること、
を実行させる命令を記憶したコンピュータ可読媒体を備える製品。
【請求項２６】
前記電話呼は音声コマンドに応答して開始される、請求項２５記載の製品。
【請求項２７】
実行されると、前記１つ又は複数のプロセッサに、前記電話呼の終了に応答してデータの送信を再開させる命令をさらに含む、請求項１２記載の製品。
【請求項２８】
実行されると、前記１つ又は複数のプロセッサに、音声コマンドに応答して前記電話呼を終了させる命令をさらに含む、請求項２７記載の製品。
【発明の詳細な説明】
【技術分野】
【０００１】
本発明はモデムに関する。特に、本発明は、モデムを使用して、電話を受ける前に確立されたデータ接続を維持しながら電子システム（たとえば、コンピュータシステム）を使用してハンズフリーで電話に出られるようにすること、及び／又は電話を掛ける前に確立されたデータ接続を維持しながらハンズフリーで電話を掛けることに関する。
【背景技術】
【０００２】
現在、ケーブルモデム及びデジタル加入者回線（ＤＳＬ）接続を介してのインターネットアクセスが急速に増大しているにもかかわらず、インターネットにアクセスするための最も一般的な技法は、モデムを使用して電話回線を経由するものである。コンピュータシステム又は他の装置が、電話回線を経由して通信するためにモデムを使用しているとき、電話回線を電話呼に利用することはできず、これは電話回線を電話呼に使用することに関心を持ち得る人々にとって不便である。
【発明の開示】
【発明が解決しようとする課題】
【０００３】
データ通信にモデムを使用することの１つの欠点は、データ通信に使用される電話回線を同時に音声通信に使用することができないことである。そのため、ユーザは専用データ通信回線を有する（これにはコストがかかり得る）か、又は１本の電話回線を使用してデータ通信と音声通信とを切り替えられるようにする機構を有さなければならない。
【０００４】
コンピュータユーザが、モデムが電話回線を使用している間に掛かってきた電話を受けられるようにする装置及び技法が現在存在している。しかし、こういった装置及び技法は概して一貫せず、且つ／又はユーザにとって不便である。
【課題を解決するための手段】
【０００５】
本発明を限定ではなく例として、同様の参照符号が同様の要素を指す添付図面中の図に示す。
【図面の簡単な説明】
【０００６】
【図１】モデムを有する電子システムの一実施形態のブロック図である。
【０００７】
【図２】モデムを有する電子システムにおいてハンズフリー電話技術を提供する構成要素の一実施形態の概念的なブロック図である。
【０００８】
【図３】データ通信セッション中にハンズフリーで電話を受けるプロセスの一実施形態の流れ図である。
【０００９】
【図４】データ通信セッション中にハンズフリーで電話を掛けるプロセスの一実施形態の流れ図である。
【発明を実施するための最良の形態】
【００１０】
モデムが電話呼の前に確立されたデータセッションを維持している間の、コンピュータシステム又は他の電子装置とのハンズフリー電話呼のための方法及び装置を記載する。以下の説明では、説明を目的として、本発明の完全な理解を提供するために多くの特定の詳細について述べる。しかし、本発明をこういった特定の詳細なしで実施可能なことが当業者には明らかであろう。また場合によっては、本発明を曖昧にするのを避けるために、構造及び装置をブロック図の形態で示す。
【００１１】
図１は、モデムを有する電子システムの一実施形態のブロック図である。図１に示す電子システムは、一連の電子システム、たとえばコンピュータシステム（デスクトップであれ、ラップトップであれ、パームトップであれ、又は他であれ）、ネットワークアクセス装置、個人情報端末（ＰＤＡ）、セットトップボックス等を表すように意図されている。電子システムであれ、非電子システムであれ、代替のシステムは、より多数、より少数、且つ／又は異なる構成要素を備えることができる。図１の構成要素は、別のより大きなシステム内に備えられてもよい。
【００１２】
電子システム１００は、情報を通信するためのバス１０１又は他の通信装置及びバス１０１に結合されて情報を処理するプロセッサ１０２を備える。電子システム１００を単一のプロセッサを備えたものとして示すが、電子システム１００は複数のプロセッサ及び／又はコプロセッサを備えてよい。電子システム１００は、バス１０１に結合されて、プロセッサ１０２により実行される情報及び命令を記憶するランダムアクセスメモリ（ＲＡＭ）又は他の動的記憶装置１０４（メモリと呼ぶ）をさらに備える。メモリ１０４は、プロセッサ１０２による命令の実行中に変数又は他の中間情報を一時的に記憶するためにも使用することができる。
【００１３】
電子システム１００は、バス１０１に結合されて、プロセッサ１０２のための静的な情報及び命令を記憶する読み取り専用メモリ（ＲＯＭ）及び／又は他の静的記憶装置１０６も備える。データ記憶装置１０７がバス１０１に結合されて、情報及び命令を記憶する。磁気ディスク又は光ディスク及び対応するドライブ等のデータ記憶装置１０７を電子システム１００に結合することができる。
【００１４】
電子システム１００は、バス１０１を介して陰極線管（ＣＲＴ）又は液晶ディスプレイ（ＬＣＤ）等の表示装置１２１に結合して、情報をユーザに表示することもできる。通常、英数字及び他のキーを含む英数字入力装置１２２又はタッチパッドインタフェースがバス１０１に結合されて、情報及びコマンド選択をプロセッサ１０２に伝達する。方向情報及びコマンド選択をプロセッサ１０２に伝達し、ディスプレイ１２１上でのカーソル移動を制御する、マウス、トラックボール、又はカーソル方向キー等の別の種類のユーザ入力装置であるカーソル制御機構１２３。電子システム１００は、ローカルエリアネットワーク等のネットワークへのアクセスを提供するネットワークインタフェース１３０をさらに備える。
【００１５】
電子システム１００は、電話インタフェース１５０に結合されたスピーカ（複数可）１５５及びマイクロホン１５８をさらに備える。電話インタフェース１５０はバス１０１に結合され、電子システム１００のユーザが電子システム１００を使用して電話呼を送受できるようにするように構成される。一実施形態では、スピーカ（複数可）１５５及びマイクロホン１５８は、電子システム１００のケーシング内で一体化されるか、又は別の場合では、電子システム１００のユーザがヘッドセットを持つことなく電話で会話を行えるように配置される。すなわち、電子システム１００のユーザは、電話で会話を行うために自身の手を使う必要がない。電話を受ける、又は電話を掛ける際に、電子システム１００のユーザは自身の手を使っても使わなくてもよい。
【００１６】
電子システム１００は、バス１０１に結合されるモデム１７５をさらに備える。モデム１７５は、電子システム１００が、アナログ通信媒体、たとえば電話回線等を経由してデジタルデータを通信できるようにする。アナログ通信媒体を介してデジタルデータを通信する一般的な技法が当該分野において既知である。より詳細に後述するように、モデム１７５は、電話インタフェース１５０を介して電話を掛ける、又は受けている間に、少なくとも所定の時間期間、データ接続を維持することが可能である。一実施形態では、電話インタフェース１５０、スピーカ（複数可）１５５、及び／又はマイクロホン１５８はモデム１７５の部分である。代替の実施形態では、電話インタフェース１５０、スピーカ（複数可）１５５及び／又はマイクロホン１５８のうちのいくつかがモデム１７５の部分であるか、又はそのうちのいずれもモデム１７５の部分ではない。
【００１７】
一実施形態では、電話インタフェース１５０及びモデム１７５は、電話会社により提供されるキャッチホンサービスに応答して動作する。電話インタフェース１５０及びモデム１７５は、データ接続を解放することなく掛かってきた電話を受け入れる。電話が終わると、モデム１７５は、データ接続が中断したところを再接続するか、又は続ける。
【００１８】
さらに詳細に後述するように、モデム１７５はデータセッションを時間期間（たとえば、４分、１５分、未確定）にわたり「保留」する。電話呼は、掛かってきたものであれ、掛けられたものであれ、ユーザが「ハンズフリー」で電話で会話を行うことができるように電子システム１００によって処理される。電話が終わると、データセッションが再開される。したがって、掛かってきた電話の場合、電子システム１００のユーザはデータセッションに従事する（たとえば、電話回線を使用してインターネットにアクセスする）ことができ、電話が掛かってきたことを通知されることができる。ユーザは、掛かってきた電話を受け、これによりデータセッションは保留になり、ユーザは電子システム１００の少なくとも１つのスピーカ及びマイクロホンを使用して電話に参加する。同様に、電話を掛ける場合にもデータセッションは保留になり、電子システム１００の少なくとも１つのスピーカ及びマイクロホンを使用して電話に参加する。
【００１９】
命令は、磁気ディスク、読み取り専用メモリ（ＲＯＭ）集積回路、ＣＤ−ＲＯＭ、ＤＶＤ等の記憶装置から、１つ又は複数の電子的にアクセス可能な媒体等にアクセスを提供する有線又は無線の遠隔接続を介して（たとえば、ネットワークインタフェース１３０を介してネットワークを経由して）メモリに提供される。代替の実施形態では、ソフトウェア命令に代えて、又はソフトウェア命令と組み合わせてハードワイヤード回路を使用することができる。したがって、一連の命令の実行は、ハードウェア回路及びソフトウェア命令の特定の組み合わせのいずれにも限定されない。
【００２０】
電子的にアクセス可能な媒体は、電子装置（たとえば、コンピュータ、個人情報端末、セルラ電話）可読の形態のコンテンツ（たとえば、コンピュータ実行可能命令）を提供する（すなわち、記憶し、且つ／又は伝送する）任意の機構を備える。たとえば、機械アクセス可能媒体は、読み取り専用メモリ（ＲＯＭ）、ランダムアクセスメモリ（ＲＡＭ）、磁気ディスク記憶媒体、光記憶媒体、フラッシュメモリ装置、電気、光、音響、又は他の形態で伝搬される信号（たとえば、搬送波、赤外線信号、デジタル信号）等を含む。
【００２１】
図２は、モデムを有する電子システムにおいてハンズフリー電話技術を提供する構成要素の一実施形態の概念的なブロック図である。図２に示す構成要素は、ハードウェア、ソフトウェア、又はハードウェア及びソフトウェアの任意の組み合わせとして実施することができる。さらに、図２の構成要素は、図１の電子システム１００の１つ又は複数のブロック内にあることができる。
【００２２】
通信エージェント２４０は、データ信号及び／又は制御信号をデータモデム２１０及びスピーカフォン２２０に提供する。一実施形態では、データモデム２１０及びスピーカフォン２２０はモデムエージェント２００に含められる。代替の実施形態では、データモデム２１０及びスピーカフォン２２０は別個の構成要素であることができる。データモデム２１０及びスピーカフォン２２０は共に結合されて、同じ電話回線にアクセスする。スピーカフォン２２０は、電子システム１００のユーザが送受話器を持つ、又はヘッドセットを装着する必要なく電話で会話を行えるようにする少なくとも１つのスピーカ及び少なくとも１つのマイクロホン（図２に示さず）を備える。
【００２３】
データモデム２１０及びスピーカフォン２２０は通信エージェント２４０と対話し、データセッションを保留にして電話呼を処理することによりデータセッション中にハンズフリー電話技術を提供する。上述したように、電子システム１００は、ユーザが通信エージェント２４０と対話できるようにする１つ又は複数のＩ／Ｏ装置（２４５と記す）を備える。
【００２４】
一実施形態では、データモデム２１０及び通信エージェント２４０は、コンピュータシステムにおいて使用されるモデム装置、たとえば、コンピュータシステムの周辺機器相互接続（ＰＣＩ）準拠スロットに配置され、コンピュータシステムのＰＣＩ準拠バスに結合されるＰＣＩベースのモデムカードとして実施される。ＰＣＩプロトコル及びバスの一実施形態は、オレゴン州ポートランドに所在のＰＣＩ  Ｓｐｅｃｉａｌ  Ｉｎｔｅｒｅｓｔ  Ｇｒｏｕｐにより策定されたＰＣＩ  Ｓｐｅｃｉｆｉｃａｔｉｏｎ  Ｒｅｖｉｓｉｏｎ  ２．１に説明されている。カリフォルニア州サンタクララに所在のＩｎｔｅｌ  Ｃｏｒｐｏｒａｔｉｏｎにより策定されたＰＣＩ−Ｅｘｐｒｅｓｓ  Ｉｎｔｅｒｆａｃｅ等、他のインタフェース及びプロトコルを使用することも可能である。
【００２５】
一実施形態では、外部スピーカ及び／又はマイクロホン（複数可）がハンズフリー電話呼に使用される。電子システムによっては、一体化されたスピーカ及び／又はマイクロホン（複数可）を有する。一体化されたスピーカ及び／又はマイクロホン（複数可）が利用可能な場合、外部構成要素を利用する必要がない場合がある。
【００２６】
図３は、データ通信セッション中にハンズフリーで電話を受けるプロセスの一実施形態の流れ図である。図３のプロセスは、データセッションの開始後に行われる。換言すれば、電話が掛かってくる前に、電子システムのモデムを使用してデータセッションを確立する。データセッションの確立に使用されるモデムは、有線又は無線の通信媒体を経由して通信することができる。
【００２７】
電子システムの電話インタフェースは、電話が掛かってきているか否かを判断する（３１０）。電話インタフェースが掛かってきている電話を検出しない場合、モデムはデータセッションを続ける（３１５）。３１０において掛かってきている電話が検出される場合、電子システムは電話が掛かってきていることの指示を提供する（３２０）。一実施形態では、電子システムのモデムは、キャッチホン信号を検出することによって掛かってきている電話を検出する。一実施形態では、キャッチホン信号は、電話呼の発信元の指示（たとえば、発呼者ＩＤ識別子）を含む。電話が掛かってきていることの指示は、たとえば、ポップアップウィンドウ又は可聴トーンと共に提供することができる。
【００２８】
一実施形態では、完全な電話呼トランザクションをハンズフリーで完了することができる。たとえば、電子システムは、電話が掛かってきていることを示すプロンプトを提供することができる。プロンプトは、視覚的プロンプト（たとえば、ポップアップウィンドウ）、音声プロンプト（たとえば、ビープ又は他のトーン）、又は視覚的プロンプト及び音声プロンプトの組み合わせであることができる。一実施形態では、プロンプトは、電話が掛かってきていることを示す録画された、又は合成された（ｓｉｍｕｌａｔｅｄ）人の声である。プロンプトは、電話呼の発信元並びにその電話呼を受け入れるかの選択肢を示すことができる。
【００２９】
電子システムのユーザは、任意の適切な様式でプロンプトに応答することができる。たとえば、ユーザはダイアログボックスのボタンをクリックするか、又はボタンを押下することができる。一実施形態では、ユーザは音声コマンドでプロンプトに応答する。ユーザは、音声コマンドで、掛かってきている電話呼を受け入れるか、又は拒絶することができる。
【００３０】
電話呼が３３０において受け入れられない場合、データセッションが続けられる（３４０）。電子システムのユーザは、たとえばボタンをクリックする、キーを押下する、又は可聴（たとえば、音声）応答を提供することによって呼を受け入れることができる。電話呼が３３０において受け入れられる場合、データセッションは保留になる（３５０）。データセッションを保留にすることについては、さらに詳細に後述する。一実施形態では、データセッションを保留にするプロセスは、モデムによって行われる。
【００３１】
データセッションが保留になると、電話呼が処理される（３６０）。一実施形態では、電話呼を処理することは、電話接続からアナログ信号を受信すること、及び電子システムの１つ又は複数のスピーカを使用して信号を再生することを含む。デジタル音声信号を再生することもできる。電子システムの１つ又は複数のマイクロホンからの音声信号が、電話接続を経由して送信される。
【００３２】
電話呼の処理は、電話呼が終了するまで続けられる（３７０）。一実施形態では、電話呼は、ユーザからの音声コマンドに応答して終了する。代替の実施形態では、呼は、ユーザがボタンを押下する、又はコマンド若しくはグラフィカルボタンを選択することによって終了することができる。電話呼が３７０において終了すると、データセッションが再開される（３８０）。
【００３３】
図４は、データ通信セッション中にハンズフリーで電話を掛けるプロセスの一実施形態の流れ図である。図４のプロセスは、データセッションの開始後に行われる。
【００３４】
データセッションは、４１０において呼が開始されるまで続けられる。一実施形態では、呼は、電子システムのユーザによる音声コマンドに応答して開始される。代替の実施形態では、呼は、たとえば、ユーザがボタンを押下する、又はグラフィカルユーザインタフェースを使用してコマンドを選択することによって開始することができる。
【００３５】
電話呼が４１０において開始されると、モデムは保留になる（４２０）。次いで、電話が掛けられている間（４３０）、データセッションは一時停止される。たとえば、ユーザは、電話呼を開始する音声コマンドを提供することができる。次いで、ユーザに、呼の電話番号の入力を促すことができ、これを使用して電話を掛けることができる。呼が終了するまで（４５０）、電話呼が処理される（４４０）。呼の終了に応答して、データセッションが再開される（４６０）。
【００３６】
一実施形態では、電話呼は、ユーザからの音声コマンドに応答して終了する。代替の実施形態では、呼は、ユーザがボタンを押下する、又はコマンド若しくはグラフィカルボタンを選択することによって終了することができる。上述したように、電話呼が開始又は受け入れられると、データ通信に使用されていたモデムはデータセッションを保留にする。一実施形態では、モデムは２０００年１１月に公開されたＩＴＵ−Ｔ  ｓｔａｎｄａｒｄ  Ｖ．９２  （ＳＥＲＩＥＳ  Ｖ：  ＤＡＴＡ  ＣＯＭＭＵＮＩＣＡＴＩＯＮ  ＯＶＥＲ  ＴＨＥ  ＴＥＬＥＰＨＯＮＥ  ＮＥＴＷＯＲＫ（電話網を経由してのデータ通信）、Ｓｉｍｕｌｔａｎｅｏｕｓ  ｔｒａｎｓｍｉｓｓｉｏｎ  ｏｆ  ｄａｔａ  ａｎｄ  ｏｔｈｅｒ  ｓｉｇｎａｌｓ（データ信号及び他の信号の同時伝送））に準拠する。代替の実施形態では、他のモデム規格及び／又はプロトコル、たとえば将来開発されるもの及び／又は無線プロトコルを使用することができる。
【００３７】
モデムがＶ．９２（又は後続規格）モデムである場合、データセッションを保留にする、規格に規定されているモデムオンホールド機能。他の技法を用いてデータセッションを保留にすることもできる。Ｖ．９２規格の実施態様によれば、遠隔モデムもＶ．９２規格モデムでなければならず、モデムオンホールド機能がイネーブルされていなければならない。モデムオンホールド機能についての詳細は、上で参照したＶ．９２規格に見出すことができる。
【００３８】
本明細書における「一実施形態」又は「実施形態」への言及は、その実施形態と併せて説明した特定の機能、構造、特徴が本発明の少なくとも１つの実施形態に含まれることを意味する。本明細書の各所に見られる語句「一実施形態では」は、必ずしも同じ実施形態を言及しているわけではない。
【００３９】
上記明細書では、本発明について本発明の特定の実施形態を参照しながら説明した。しかし、本発明のより広義の精神及び範囲から逸脱することなく種々の変更及び変形を行うことが可能なことが明らかであろう。したがって、本明細書及び図面は限定の意味ではなく例示の意味で解釈すべきである。
【図１】
2007513575.tif 000003
【図２】
2007513575.tif 000004
【図３】
2007513575.tif 000005
【図４】
2007513575.tif 000006
【国際調査報告】
2007513575.tif 000007
2007513575.tif 000008
2007513575.tif 000009
2007513575.tif 000010